(57)【要約】【課題】本発明は、来訪者が操作ボタンを押す前からこの来訪者を確認でき、テレビジョンに来訪者が存在する旨の表示が行え、操作ボタンを押した後には来訪者の画像や名前等を表示できるインターホン装置を提供することを目的とする。【解決手段】本発明は、スピーカ８、マイク９及びカメラが設けられたドアホン子機と、ドアホン子機と音声通話しカメラの撮影した画像情報を表示する表示部７が設けられたドアホン親機６とを備えたインターホン装置であって、ドアホン子機には訪問者を検出できるセンサ部が設けられるとともに、ドアホン親機６には、テレビジョンに訪問者があった旨の表示を行うための情報を格納したテレビ用データ部４７ａと、テレビジョンに訪問者表示を表示させるため該情報をテレビジョンに送信するテレビ表示制御手段３９ａとが設けられたことを主要な特徴とする。【選択図】図３
2007104383.tif 000002
【特許請求の範囲】
【請求項１】
スピーカ、マイク及びカメラが設けられたドアホン子機と、前記ドアホン子機と音声通話し前記カメラの撮影した画像情報を表示する表示部が設けられたドアホン親機とを備えたインターホン装置であって、
前記ドアホン子機は、訪問者を検出するセンサ部を有し、
前記ドアホン親機は、テレビジョンに連結されており、
当該テレビジョン画面に表示可能な上記訪問者が居る旨の情報を格納する記憶部と、
当該情報を前記テレビジョンに送信するテレビ表示制御手段と、
前記センサ部が訪問者を検知した際に、前記テレビ表示制御部が上記訪問者が居る旨の情報を上記テレビジョンに送信するように制御する制御部と、を備えることを特徴とするインターホン装置。
【請求項２】
前記訪問者があった旨の表示を行うための情報が、前記テレビジョンの映像信号に上重ね表示させるためのデータであることを特徴とする請求項１記載のインターホン装置。
【請求項３】
前記ドアホン子機には呼び出しのための操作部が設けられるともに、前記ドアホン親機には該操作部からの入力信号を検出する検出部が設けられ、前記テレビ表示制御手段は、前記検出部が前記入力信号を検出すると、前記ドアホン子機のカメラによる画像情報を前記テレビジョンの表示画面に表示させるために該テレビジョンに送信することを特徴とする請求項１または２記載のインターホン装置。
【請求項４】
前記ドアホン親機には、前記ドアホン子機のマイクから入手した音声から人物を特定する単語情報を抽出して該単語情報をテキスト情報に変換する音声文字変換部と、該テキスト情報を表示用テキスト情報に編集する編集部とが設けられ、前記テレビ表示制御手段は、前記編集部によって編集された表示用テキスト情報を前記テレビジョンに送信することを特徴とする請求項１〜３のいずれかに記載のインターホン装置。
【発明の詳細な説明】
【技術分野】
【０００１】
この発明は、来訪者が操作ボタンを押す前からこの来訪者を確認でき、テレビジョンに来訪者が存在する旨の表示が行え、操作ボタンを押した後には来訪者の画像や名前等を表示できるインターホン装置に関する。
【背景技術】
【０００２】
従来のインターホン装置１０１は、図６に示すようにドアホン端末１０２と宅内に配置された応答端末１０３との２つの装置から構成されている。図６は従来のインターホン装置の概略構成図である。このドアホン端末１０２には、来訪者を撮影してその画像を表す画像信号を出力するカメラ１２１と、来訪者によって操作される呼び出しスイッチ１２２と、宅内からの音声を来訪者に知らせるためのスピーカ１２３と、来訪者の声を宅内に伝達するためのマイク１２４が設けられている。
【０００３】
カメラ１２１は応答端末１０３内の画像表示部１３１に接続され、カメラ１２１からの画像信号は画像表示部１３１によって処理され、そのモニタに来訪者の顔が表示される。また、応答端末１０３には、呼び出しスイッチ１２２の操作に応答して呼び出し信号を発生する呼び出し音信号発生部１３２が設けられ、アンプ１３３によって増幅されてスピーカ１３４から呼び出し音が出力される。さらに、応答端末１０３には、呼び出し音に応答して通話を行うために、ドアホン端末１０２のスピーカ１２３及びマイク１２４とアンプ１３５を介して接続された送受話器１３６が設けられ、呼び出し音に応答して応対者が送受話器１３６を取り上げると、ドアホン端末１０２と応答端末１０３との間に通話回路が形成されるとともに、カメラ１２１及び画像表示部１３１が作動状態になるようになっている。
【０００４】
しかし、この従来のインターホン装置１０１においては、呼び出しがあったとき、宅内の応対者は送受話器１３６を取り上げて実際に通話し、カメラ１２１と画像表示部１３１を作動させる等の操作を行わない限り、呼び出しスイッチ１２２を操作したのが誰なのかを確認することができなかった。
【０００５】
そこで、図７に示すように、ドアホン端末１０２の呼び出しスイッチ１２２を操作する可能性のある人物に関する画像データを蓄積した人物データベース１４２と、呼び出しスイッチ１２２を操作した人物の画像データを取り込んで、これと人物データベース１４２に蓄積された画像データとを照合する画像認識部を備えた人物認証インターホン装置が提案された（特許文献１参照）。図７は従来の人物認証インターホン装置の概略構成図である。
【０００６】
このインターホン装置１０１によれば、呼び出しスイッチ１２２が操作された場合、制御部１４３はカメラ１２１、画像表示部１３１、画像認識部１４１、人物データベース１４２を作動させ、画像認識部１４１はカメラ１２１から送られてきた操作者の画像データと人物データベース１４２に蓄積されている各データとを照合する。両画像データを照合した結果、人物データベース１４２にこの人物の画像データが蓄積されていたときには、この人物の対応に適した応対者の特有な呼び出し音を呼び出し音データベース１４４から読み出し、スピーカ１３４から出力する。また、このときこの人物の画像データが蓄積されていなかったときには、呼出音の発生の有無に関する設定により、例えば一般呼び出し音を発生したりする。
【０００７】
人物の画像データは人物確認の結果によって登録するか否かが決定される。登録しておく必要があるときには、この画像データを人物データベース１４２に、また人物に最も適した応対者の呼び出し音のデータを呼び出し音データベース１４４に登録する。また、人物データベースの画像の更新処理を行うこともできるものである。
【０００８】
しかし、以上説明した図７の（特許文献１）のインターホン装置１０１は、呼び出し音データベース１４４等のメモリ容量などで人物推定できる人数に制約が出てくるし、呼び出し方法を変更するときにはドアホン端末１０２を設計し直さなければならなかった。このため、応答端末１０３の人物認証後、人物認証結果情報を別のインターフェースを介して容量のあるメモリを有する外部接続端末装置、例えばコードレス電話親機に送信して、受信した画像で来訪者を特定し、人物認証の報知処理を行い、選択された呼び出し装置、例えばコードレス電話子機に所定の呼び出し音情報を送信する技術が提案された。呼び出し音等の情報は外部接続端末装置のメモリに記憶されるものである（特許文献２参照）。
【特許文献１】特許第３２５０７９７号公報
【特許文献２】特開２０００−２８７１９６号公報
【発明の開示】
【発明が解決しようとする課題】
【０００９】
以上説明したように、（特許文献１）の人物認証インターホン装置は、呼び出しスイッチ１２２を操作した人物の画像データを取り込んで、これと人物データベース１４２に蓄積された画像データとを照合するため、操作者が誰であるか直ちに分り、この操作者に最も適した応対者が応対することができるものであった。
【００１０】
しかし、呼び出しスイッチ１２２を操作した人物を対応するのに適した者に対して、来訪者があったことを単に報知するに止まり、せっかくの人物認証も十分役に立っているとはいえないものであった。しかも、メモリ容量などで人物推定できる人数に制約があり、実用性の面で問題が残るものであった。
【００１１】
この点、（特許文献２）のインターホン装置は、インターフェースを介して外部接続端末装置に人物認証の報知処理プログラムや呼び出し音情報を格納しておくことができ、実用性の面では上記の従来技術を向上させたが、まだ人物認証したことが十分役立っているとはいえないものであった。基本的には上記従来技術と同様、操作者に最も適した応対者に報知するだけのものであった。
【００１２】
最近、地域社会の人々の絆が薄くなり、従来のように安全は当たり前とはいえず、各家庭で自衛が必要になってきている。例えば、インターホンで呼び出しても応答がない場合に、留守と間違われて思わぬ事態になったりするのでは問題であり、上記の人物認証に限ったことではなく、インターホン装置の機能を一段と向上させる必要がある。
【００１３】
しかし、インターホン装置は基本的に来訪者が操作ボタンを押さなければ、宅内に居る者には訪問者があったことが分らない。できれば、来訪者が操作ボタンを操作する前に、インターホン装置から来訪者の情報が得られれば利便性が向上し、来訪者への対応が容易になると期待される。また、多くの家庭では、テレビジョン放送が常時流されていることが多く、このテレビジョンを利用することができれば、インターホン装置を使っての訪問者に対する迅速な対応が可能になる。
【００１４】
そこで本発明は、来訪者が操作ボタンを押す前からこの来訪者を確認でき、テレビジョンに来訪者が存在する旨の表示が行え、操作ボタンを押した後には来訪者の画像や名前等を表示できるインターホン装置を提供することを目的とする。
【課題を解決するための手段】
【００１５】
上記従来の課題を解決するために本発明は、上記の目的を達成するために、スピーカ、マイク及びカメラが設けられたドアホン子機と、ドアホン子機と音声通話しカメラの撮影した画像情報を表示する表示部が設けられたドアホン親機とを備えたインターホン装置であって、ドアホン子機には訪問者を検出できるセンサ部が設けられるとともに、ドアホン親機には、テレビジョンに訪問者があった旨の表示を行うための情報を格納した記憶部と、テレビジョンに訪問者表示を表示させるため該情報をテレビジョンに送信するテレビ表示制御手段とが設けられたことを主要な特徴とする。
【発明の効果】
【００１６】
本発明によれば、来訪者が操作ボタンを押す前からこの来訪者を確認でき、テレビジョンに来訪者が存在する旨の表示が行え、操作ボタンを押した後には来訪者の画像や名前等を表示できる。
【発明を実施するための最良の形態】
【００１７】
上記課題を解決するために本発明の第１の発明は、スピーカ、マイク及びカメラが設けられたドアホン子機と、ドアホン子機と音声通話しカメラの撮影した画像情報を表示する表示部が設けられたドアホン親機とを備えたインターホン装置であって、ドアホン子機には訪問者を検出できるセンサ部が設けられるとともに、ドアホン親機には、テレビジョンに訪問者があった旨の表示を行うための情報を格納した記憶部と、テレビジョンに訪問者表示を表示させるため該情報をテレビジョンに送信するテレビ表示制御手段とが設けられたインターホン装置であって、来訪者が操作ボタンを押す前からこの来訪者を確認でき、テレビジョンに来訪者が存在する旨の表示が行える。
【００１８】
本発明の第２の発明は、第１の発明に従属する発明であって、訪問者があった旨の表示を行うための情報が、テレビジョンの映像信号に上重ね表示させるためのデータであるインターホン装置であり、来訪者が操作ボタンを押す前からこの来訪者を確認でき、テレビジョンに来訪者が存在する旨の表示が行える。
【００１９】
本発明の第３の発明は、第１または２の発明に従属する発明であって、ドアホン子機には呼び出しのための操作部が設けられるともに、ドアホン親機には該操作部からの入力信号を検出する検出部が設けられ、テレビ表示制御手段は、検出部が入力信号を検出すると、ドアホン子機の画像情報をテレビジョンの表示画面に表示させるために該テレビジョンに送信するインターホン装置であり、来訪者が操作ボタンを押す前からこの来訪者を確認でき、テレビジョンに来訪者が存在する旨の表示が行え、操作ボタンを押した後には来訪者の画像を表示できる。
【００２０】
本発明の第４の発明は、第１〜３のいずれかの発明に従属する発明であって、ドアホン親機には、ドアホン子機のマイクから入手した音声から人物を特定する単語情報を抽出して該単語情報をテキスト情報に変換する音声文字変換部と、該テキスト情報を表示用テキスト情報に編集することができる編集部とが設けられ、テレビ表示制御手段は、編集部によって編集された表示用テキスト情報をテレビジョンに送信するインターホン装置であり、来訪者が操作ボタンを押す前からこの来訪者を確認でき、テレビジョンに来訪者が存在する旨の表示が行え、操作ボタンを押した後には来訪者の名前を表示することができる。
【００２１】
（実施の形態１）
本発明の実施の形態１におけるインターホン装置は画像により人物認証を行うものである。図１（ａ）は本発明の実施の形態１におけるインターホン装置のドアホン子機の正面図、図１（ｂ）は本発明の実施の形態１におけるインターホン装置のドアホン親機の正面図、図２は本発明の実施の形態１におけるインターホン装置のドアホン子機のブロック構成図、図３は本発明の実施の形態１におけるインターホン装置のドアホン親機のブロック構成図である。
【００２２】
図１（ａ）において、１は実施の形態１のインターホン装置のドアホン子機、２はドアホン子機１本体正面に設けられたＣＣＤ等のカメラ、３は後述するドアホン親機６から入力された音声を出力するためのドアホン子機１本体に設けられたスピーカ、４はドアホン子機１に音声を入力するためのマイク、５は来訪者がドアホン親機６の呼び出し行う操作ボタンである。
【００２３】
１２は例えば赤外線センサの１つである焦電センサを使用して人物の存在を検知する感知センサである。このほか、人間の振動を感じてその振動の大きさや持続時間を検知することで、人間が存在していることを検知するような振動による感知センサ１２でもよい。人間の存在が検知できればどのようなセンサでもよい。例えば焦電センサの場合、感知センサ１２の前面の所定領域に来訪者が入ってくると、感知センサ１２がこれを検知し、この信号がドアホン子機制御部２４に入力され、これによってカメラ２が起動される。さらにドアホン子機制御部２４はこれをドアホン親機６の主制御部３９（後述）に伝え、これによってドアホン親機６はテレビジョン表示制御などを開始する。
【００２４】
次に、図１（ｂ）において、６はドアホン子機１のカメラ２が撮影した来訪者の顔等の映像を受信するとともに、ドアホン子機１のマイク４から入力された音声を受信して、人物認証を行うことができるドアホン親機である。実施の形態１のドアホン親機６は、来訪者の顔等の画像から人物認証を行うものである。また、７はドアホン親機６の正面に設けられたＬＣＤ等の表示部である。この図１（ｂ）ではこの表示部７に表示された表示画面は幾つかに分割され、７ａはドアホン子機１から送信された人物の映像の画像領域、７ｂは表示部７に表示されたこの人物に関する対応拒否の設定がなされている旨を警告する警告領域、７ｃは表示部７に表示された人物の過去の訪問履歴表示領域である。この訪問履歴表示領域７ｃには過去の対応の有無情報７ｃ1も表示されている。８はスピーカ、９はマイク、１０は表示部７の表示を見て応答すると判断したとき押すための応答スイッチ、１１は個人名や企業名、電話番号、アドレスを入力するための入力キーボードである。
【００２５】
続いて、図２に基づいて実施の形態１のドアホン子機１の構成について説明する。図２において、２ａは撮像部２０のズーム等の制御を行う撮像制御部、５ａは操作ボタン５が押されたときこれを検出する操作処理部である。操作ボタン５のＯＮによりプルアップ電圧が急激に電圧降下することを利用する。また、１２ａは感知センサ１２から入力された信号を検出するセンサ検知部である。そして、２０はカメラ２を構成するＣＣＤ等の撮像部、２１は撮像部２０から出力された信号を処理して映像信号を出力する撮像処理部、２３は撮像処理部２１から出力された映像信号の周波数変調を行って８．５ＭＨｚ〜１０ＭＨｚのＦＭ信号を出力する映像信号変調部である。
【００２６】
２４はドアホン子機制御部であり、２５はプログラムやデータを記憶したメモリ部である。ドアホン子機制御部２４はハードウェア的には中央演算処理装置（以下、ＣＰＵ）から構成され、メモリ部２５やその他のメモリからプログラムを読み込んでソフトウェア的に機能実現手段として各機能を実行する。２６，２７はそれぞれスピーカ３とマイク４の出力を増幅するアンプ、２８はビデオ信号と音声信号を送信するドアホン親機６に対する第１信号線、２９は感知センサ１２のセンサ検知部１２ａからの出力信号をドアホン子機制御部２４を介してドアホン親機６の主制御部３９に伝送する第２信号線である。
【００２７】
なお、実施の形態１の場合、第１信号線２８は２−ワイヤで構成され、一方に直流＋２２Ｖが印加され、他方は接地されている。また、実施の形態１では操作処理部５ａや後述するドアホン操作検知部３６を使って第１信号線２８によって映像信号と音声信号を伝送するが、このほかの方法として、ドアホン子機１とドアホン親機６にそれぞれ通信制御部を設け、ネットワークケーブル等で結んで所定のプロトコルで通信を行う有線ＬＡＮまたは無線ＬＡＮを構成するのもよい。詳細な説明は省略する。
【００２８】
さて、マイク４から入力された通常５００Ｈｚ〜２ｋＨｚの人間の音声はアンプ２７で増幅され、そのまま映像信号変調部２３からの８．５ＭＨｚ〜１０ＭＨｚのＦＭ信号と重畳され、さらにこれに直流電圧＋２２Ｖが重畳されて第１信号線２８を介してドアホン親機６に伝送される。すなわち、待機時にはドアホン親機６からドアホン子機１に＋５Ｖが給電されているが、この状態で操作ボタン５を押すと、操作処理部５ａの作用で第１信号線２８に急激な電圧降下を起こし、＋２２Ｖが給電され、ドアホン親機６において操作ボタン５が押下されたことが検知されてその後＋２２Ｖが重畳されたＦＭ信号が伝送され、ドアホン親機６は表示部７に映像を表示する。なお、ドアホン親機６の動作中に操作ボタン５を押した場合はＦＭ信号に影響しないように検知信号が重畳されて伝送される。ドアホン親機６は表示部７に映像を表示するとともに、関連情報、例えば警告領域７ｂに対応拒否の表示や、訪問履歴領域７ｃに訪問履歴を表示することになる。
【００２９】
続いて、図３に基づいてドアホン親機６の構成について説明する。２８は第１信号線、２９は第２信号線である。２８ａは第１信号線２８を介して重畳して伝送された２つの信号、すなわち映像信号変調部２３で周波数変調されたＦＭ信号とこれに重畳された音声信号を分離する信号分離部である。そして、３０はこのＦＭ信号を復調させるためのＦＭ信号復調部、３１は復調されたアナログのビデオ信号を画像処理や画像認証行うためにデジタル信号に変換するＡ／Ｄ変換部である。
【００３０】
また、３２はＡ／Ｄ変換部３１で変換されたデジタルビデオ信号を画像処理し、所定の画像を生成する画像処理生成部である。実施の形態１においては、図１（ｂ）の表示部７に表示された表示画面は分割され、映像とその他の関連情報が分割されて表示されるので、画像処理生成部３２がこの処理を行う。３３はこの表示部７に表示される表示画面のテンプレート等のデータを格納した画像メモリ部である。画像処理生成部３２は、カメラ２で撮影している映像部分のサイズを調整若しくは切り出してテンプレートの画像領域７ａに貼り付け、また、対応拒否の設定を示すテキスト情報及びシンボルは警告領域７ｂに、さらに訪問履歴に関するテキスト情報を訪問履歴表示領域７ｃに表示して、１画面分のデータ１画面分のデータとして生成する。
【００３１】
３４は画像処理したデジタルのビデオ信号をアナログ信号に変換するＤ／Ａ変換部である。３５はこのビデオ信号を表示部７に表示するための表示制御部であり、カメラ２で撮影した映像はＬＣＤ等の表示部７に表示される。３６はドアホン子機１の操作ボタン５が押下されたとき、ドアホン親機６側でこれを検知するドアホン操作検知部であり、検出信号は後述の主制御部３９に入力され、これをトリガとしてドアホン親機６の各動作が開始される。
【００３２】
次に、３９はドアホン親機６の主制御部である。主制御部３９はハードウェア的にはＣＰＵから構成され、後述する記憶部４７やその他のメモリからプログラムを読み込んでソフトウェア的に機能実現手段として各機能を実行する。３９ａはテレビジョンに来訪者が存在する旨の表示や画像、来訪者の名前を表示させるための制御を行うテレビ表示制御手段である。
【００３３】
４０は第１信号線２８と接続された音声処理部、４３，４４はスピーカ８とマイク９のそれぞれのアンプである。音声処理部４０は音声のとぎれ等を検出し、ドアホン親機６とドアホン子機１との間の通話の切り替えなど音声通信の制御を行う。また、４５は入力キーボード１１の操作ボタンを使って入力する入力部、４６は応答スイッチ１０を押してドアホン子機１との間で通信を開始する応答スイッチ部である。そして、４７は主制御部３９のためのプログラムやデータを記憶した記憶部であり、４７ａはテレビジョンに表示するフォントやシンボル、あるいは定型の文字列の表示、例えば「お客様です」等のデータを記憶したテレビ用データ部である。
【００３４】
５０は来訪者の応答からテキストデータを作成することができる音声文字変換部である。５０ａはＡ／Ｄ・Ｄ／Ａ変換部４９から出力された音声データの中から音声の各特徴を基に単語候補を抽出する抽出手段、５０ｂは抽出した単語候補の中から辞書を参照して個人情報に関する単語候補を選択する推論選択手段、５０ｃはこれをテキストデータに変換するテキスト情報生成手段である。５１は音声文字変換部５０で変換されたテキストデータを基にテレビ表示用のデータに編集を行う編集部である。なお、文字のフォントや表示したいシンボルはテレビ用データ部４７ａに格納されており、テレビ表示制御手段３９ａにより編集部５１に送られ、テレビ表示用のデータに編集される。
【００３５】
すなわち、マイク４から取り込まれた音声は、音声処理部４０を経てＡ／Ｄ・Ｄ／Ａ変換部４９でデジタル音声信号（音声データ）として出力され、このデジタル音声信号をケプストラム分析などして、音声の特徴パラメータ、例えば音声に含まれる各周波数の包絡線の特徴を示すＬＰＣケプストラム係数や、音声信号がゼロ電圧線と交差する数を示すゼロクロス数、音声の大きさを示すパワー値などを抽出し、予め登録されている特徴パラメータ、すなわち各単語ごとに収集された音声のＬＰＣケプストラム係数、ゼロクロス数、パワー値などを参照することにより、推論選択手段５０ｂによって所定の単語と推定され、テキスト情報生成手段５０ｃによって単語ごとにテキストデータに変換されて、来訪した人物を特定する氏名等のテキストデータが編集部５１へ送信されて編集される。
【００３６】
ところで、来訪した人物を特定する単語候補としては、氏名や所属する企業名、場所、電話番号等の情報がある。音声文字変換部５０にはこれらに関係する標準パターンの単語辞書が設けられており、この標準パターンと比較してこれらのどれに属するかの属否の推論を行い、氏名や所属する企業名に該当すると推定されたときには、その氏名や所属する企業名、例えば「鈴木」「鈴木商店」等のテキストデータが編集部５１に送信されて、これらを基に「鈴木さんがいらっしゃいました」「鈴木商店の方がいらっしゃいました」等の編集が行われる。
【００３７】
５２はテレビジョンに出力するデータが上述したテレビ表示用のデータの場合にはこれを選択し、テレビジョンに出力するデータがドアホン子機１のカメラ２で撮影した画像の場合にこれを選択して出力するセレクト部である。セレクト部５２はテレビ表示制御手段３９ａによって切り替えられる。５３はドアホン親機６からテレビジョンにこれらのデータ信号を出力する端子である。
【００３８】
そこで、本発明の実施の形態１が行うテレビジョンに表示を行うときのテレビジョンの構成について説明する。図４は本発明の実施の形態１におけるインターホン装置のドアホン親機が接続されるブロック図である。
【００３９】
図４において、６０はテレビジョン、６１は希望のチャンネルの信号を選択するチューナ、６２は検波を行う検波部、６３は出力された映像信号をＲ，Ｇ，Ｂ信号に変換し、水平、垂直同期信号を生成する映像信号処理部である。６４は端子５３から出力された信号が入力される入力端子である。６５はドアホン親機６からの信号を基に映像信号処理部６３から出力される信号にテレビ表示用のデータ信号を重畳するためにＤ／Ａ変換等必要な処理を行い、割り込み信号を生成する信号入力処理部である。６６は割り込み映像処理手段であり、テレビ表示用のデータを割り込ませた映像信号を生成してテレビジョン６０の表示部に出力する。６７は信号入力処理部６５から割り込み信号が入力されると、各種形式で割り込み映像処理手段６６にドアホン親機６からのデータを割り込ませた映像信号を生成させる割り込み制御手段である。
【００４０】
そこで、本発明の実施の形態１にインターホン装置が、感知センサ１２によって来訪者らしき人物を検知してからの処理手順を説明する。図５は本発明の実施の形態１におけるインターホン装置でテレビジョンに来訪者の存在を表示するフローチャートである。
【００４１】
図５において、感知センサ１２は来訪者らしき人物を検知するまで待機し（ｓｔｅｐ１）、これを検知したときはドアホン子機１のカメラ２を起動させる（ｓｔｅｐ２）。このまま感知センサ１２はこの人物の検知を継続し、所定の領域内に入ったか否かを検出する（ｓｔｅｐ３）。感知センサ１２等の検出レベルに閾値等を設けておくか、あるいはカメラ２の画像の中で占める人物の大きさ等に基づいて、ドアホン子機制御部２４若しくはドアホン親機６の主制御部３９に設けた判断手段で判定する。所定の領域内に入ってこない場合はｓｔｅｐ１に戻る。
【００４２】
人物が所定の領域内に入ってきた場合には、ドアホン親機６のテレビ表示制御手段３９ａはテレビジョンへの接続が設定されているのかをチェックし（ｓｔｅｐ４）、接続されていなければｓｔｅｐ１に戻り、接続されている場合には、テレビ表示制御手段３９ａは編集部５１でテレビ表示用の来訪者の存在を示す表示を編集させ、そのデータを、あるいは格納されていた表示そのもののデータをテレビジョンに送信する（ｓｔｅｐ５）。その後、ドアホン子機１の操作ボタン５が押されたか否かがチェックされる（ｓｔｅｐ６）。
【００４３】
操作ボタン５が押されない場合、ｓｔｅｐ１に戻って待機し、押された場合は、テレビ表示制御手段３９ａはセレクト部５２から送信するデータをテレビジョンに表示していた来訪者の存在を示す表示用のデータから、カメラ２で撮影された画像データに切り替える（ｓｔｅｐ７）。
【００４４】
続いて、来訪者から「鈴木です」等の人物を特定する音声が発声され、音声文字変換部５０で音声から文字へ変換された「鈴木」というテキストデータが得られたかが確認される（ｓｔｅｐ８）。このテキストデータが得られた場合は、テレビ表示制御手段３９ａは編集部５１このテキストデータ「鈴木」を「鈴木さんがいらっしゃいました」といったテレビ表示用の表示に編集させ、テレビジョンに送信する（ｓｔｅｐ９）。続いて、応答者が応答スイッチ１０を押したか否かが判定され（ｓｔｅｐ１０）、応答スイッチ１０を押して応答した場合にはその後の応対後ｓｔｅｐ１に戻り、応答スイッチ１０を押さなかった場合には自動応答の設定が確認され（ｓｔｅｐ１１）、設定がされていれば「只今留守です」等のメッセージを自動応答し（ｓｔｅｐ１２）、設定がなされていなければそのままｓｔｅｐ１に戻って待機する。
【００４５】
このように実施の形態１のインターホン装置は、来訪者が操作ボタンを押す前からこの来訪者を確認でき、テレビジョンに来訪者が存在する旨の表示が行え、操作ボタンを押した後には来訪者の画像や名前等を表示できる。
【産業上の利用可能性】
【００４６】
本発明は、来訪者が操作ボタンを押す前からこの来訪者を確認でき、テレビジョンに来訪者が存在する旨の表示が行え、操作ボタンを押した後には来訪者の画像や名前等を表示できるインターホン装置に適用できる。
【図面の簡単な説明】
【００４７】
【図１】（ａ）本発明の実施の形態１におけるインターホン装置のドアホン子機の正面図、（ｂ）本発明の実施の形態１におけるインターホン装置のドアホン親機の正面図
【図２】本発明の実施の形態１におけるインターホン装置のドアホン子機のブロック構成図
【図３】本発明の実施の形態１におけるインターホン装置のドアホン親機のブロック構成図
【図４】本発明の実施の形態１におけるインターホン装置のドアホン親機が接続されるブロック図
【図５】本発明の実施の形態１におけるインターホン装置でテレビジョンに来訪者の存在を表示するフローチャート
【図６】従来のインターホン装置の概略構成図
【図７】従来の人物認証インターホン装置の概略構成図
【符号の説明】
【００４８】
１    ドアホン子機
２    カメラ
２ａ    撮像制御部
３    スピーカ
４    マイク
５    操作ボタン
５ａ    操作処理部
６    ドアホン親機
７    表示部
７ａ    画面領域
７ｂ    警告領域
７ｃ1    応答の有無情報
７ｃ    訪問履歴領域
８    スピーカ
９    マイク
１０    応答スイッチ
１１    入力キーボード
１２    感知センサ
１２ａ    センサ検知部
２１    撮像部
２２    撮像処理部
２３    映像信号変調部
２４    ドアホン子機制御部
２５    メモリ部
２６，２７，４３，４４    アンプ
２８    第１信号線
２８ａ    信号分離部
２９    第２信号線
３０    ＦＭ信号復調部
３１    Ａ／Ｄ変換部
３２    画像処理生成部
３３    画像メモリ部
３４    Ｄ／Ａ変換部
３５    表示制御部
３６    ドアホン操作検知部
３９    主制御部
３９ａ    テレビ表示制御手段
４０    音声処理部
４５    入力部
４６    応答スイッチ部
４７    記憶部
４７ａ    テレビ用データ部
４９    Ａ／Ｄ・Ｄ／Ａ変換部
５０    音声文字変換部
５０ａ    抽出手段
５０ｂ    推論選択手段
５０ｃ    テキスト情報生成手段
５１    編集部
５２    セレクト部
５３    端子
６０    テレビジョン
６１    チューナ
６２    検波部
６３    映像信号処理部
６４    入力端子
６５    信号入力処理部
６６    割り込み映像処理手段で
６７    割り込み制御手段
１０１    インターホン装置
１０２    ドアホン端末
１０３    応答端末
１２１    カメラ
１２２    呼び出しスイッチ
１２３    スピーカ
１２４    マイク
１３１    画像表示部
１３２    呼び出し音信号発生部
１３３，１３５    アンプ
１３４    スピーカ
１３６    送受話器
１４１    画像認識部
１４２    人物データベース
１４３    制御部
１４４    呼び出し音データベース
【図１】
2007104383.tif 000003
【図２】
2007104383.tif 000004
【図３】
2007104383.tif 000005
【図４】
2007104383.tif 000006
【図５】
2007104383.tif 000007
【図６】
2007104383.tif 000008
【図７】
2007104383.tif 000009